(57)【要約】【課題】キートップに印字されている文字がそのまま日本語ローマ字入力モードで入力されるキーボードを提供する。【解決手段】文字入力操作が行われるキーボードであって、ひらがなが印字されている各キーを押下すると、そのひらがなをローマ字読みした文字が入力される構成とした。【選択図】図１
2009087308.tif 000002
【特許請求の範囲】
【請求項１】
文字入力操作が行われるキーボードであって、ひらがなが印字されている各キーを押下すると、そのひらがなをローマ字読みした文字が入力されることを特徴とするキーボード。
【請求項２】
請求項１記載のキーボードにおいて、「半濁点」キーを押下しながら「は」「ひ」「ふ」「へ」「ほ」キーを押下するとそれぞれ「ｐａ」「ｐｉ」「ｐｕ」「ｐｅ」「ｐｏ」と入力されることを特徴とするキーボード。
【請求項３】
請求項１記載のキーボードにおいて、「濁点」キーを押下しながら「か」「き」「く」「け」「こ」、「さ」「し」「す」「せ」「そ」、「た」「ち」「つ」「て」「と」、「は」「ひ」「ふ」「へ」「ほ」キーを押下するとそれぞれ「ｇａ」「ｇｉ」「ｇｕ」「ｇｅ」「ｇｏ」、「ｚａ」「ｚｉ」「ｚｕ」「ｚｅ」「ｚｏ」、「ｄａ」「ｄｉ」「ｄｕ」「ｄｅ」「ｄｏ」、「ｂａ」「ｂｉ」「ｂｕ」「ｂｅ」「ｂｏ」と入力されることを特徴とするキーボード。
【請求項４】
請求項１記載のキーボードにおいて、「小文字」キーを押下しながら「あ」「い」「う」「え」「お」「つ」「や」「ゆ」「よ」「わ」キーを押下するとそれぞれ「ｘａ」「ｘｉ」「ｘｕ」「ｘｅ」「ｘｏ」「ｘｔｕ」「ｘｙａ」「ｘｙｕ」「ｘｙｏ」「ｘｗａ」または「ｌａ」「ｌｉ」「ｌｕ」「ｌｅ」「ｌｏ」「ｌｔｕ」「ｌｙａ」「ｌｙｕ」「ｌｙｏ」「ｌｗａ」と入力されることを特徴とするキーボード。
【請求項５】
請求項１記載のキーボードにおいて、「アルファベット」キーを押下しながら「Ａ」「Ｂ」「Ｃ」．．．「Ｘ」「Ｙ」「Ｚ」キーを押下するとそれぞれ「ａ」「ｂ」「ｃ」．．．「ｘ」「ｙ」「ｚ」と入力されることを特徴とするキーボード。
【発明の詳細な説明】
【技術分野】
【０００１】  本発明は、文字入力操作用のキーボードに関する。
【背景技術】
【０００２】  コンピューター用のキーボードで日本語を入力するには、日本語ローマ字入力モードと日本語かな入力モードがある。
例えば、「Ａ」と印字されているキートップには同時に「ち」とも印字されている。そのキーを押下すると、コンピューターの文字入力モードが日本語ローマ字入力モードでは「あ」が、日本語かな入力モードでは「ち」が、それぞれ入力される。
キートップに印字されている文字が入力されることを期待する利用者は、日本語かな入力モードを使うことが多かった。
しかし、コンピューターの直接入力モードと日本語かな入力モードをキーボード操作で切り替えるには、「半角／全角  漢字」キー、「カタカナひらがな  ローマ字」キー、環境によっては「Ａｌｔ」キーを正しい組み合わせ・順番・タイミングで押下しなければならないなど、日本語かな入力モードを実際使用するには手間が多く、基本的に「半角／全角  漢字」キーのＯＮ／ＯＦＦだけで済む日本語ローマ字入力モードが主流になっている。
【発明の開示】
【発明が解決しようとする課題】
【０００３】  しかしながら、日本語ローマ字入力モードで入力するにはローマ字で入力しなければならなく、キートップに印字されている文字が入力されることを期待する利用者にとっては使いにくいものであった。そこで、キートップに印字されている文字がそのまま日本語ローマ字入力モードで入力されるキーボードが求められていた。【０００４】  本発明の課題は、キートップに印字されている文字がそのまま日本語ローマ字入力モードで入力されるキーボードを提供することである。
【課題を解決するための手段】
【０００５】  以上の課題を解決するため、請求項１記載の発明は、文字入力操作が行われるキーボードであって、ひらがなが印字されている各キーを押下すると、そのひらがなをローマ字読みした文字が入力されることを特徴とする。【０００６】  例えば「あ」「か」「さ」「た」「な」と印字されたキーを押下すると、それぞれ「ａ」「ｋａ」「ｓａ」「ｔａ」「ｎａ」と入力されるので、日本語ローマ字入力モードであれば「あ」「か」「さ」「た」「な」という入力が得られる。【０００７】  請求項２記載の発明は、「半濁点」キーを押下しながら「は」「ひ」「ふ」「へ」「ほ」キーを押下するとそれぞれ「ｐａ」「ｐｉ」「ｐｕ」「ｐｅ」「ｐｏ」と入力されることを特徴とするので、日本語ローマ字入力モードであれば「ぱ」「ぴ」「ぷ」「ぺ」「ぽ」という入力が得られる。【０００８】  請求項３記載の発明は、「濁点」キーを押下しながら「か」「き」「く」「け」「こ」、「さ」「し」「す」「せ」「そ」、「た」「ち」「つ」「て」「と」、「は」「ひ」「ふ」「へ」「ほ」キーを押下するとそれぞれ「ｇａ」「ｇｉ」「ｇｕ」「ｇｅ」「ｇｏ」、「ｚａ」「ｚｉ」「ｚｕ」「ｚｅ」「ｚｏ」、「ｄａ」「ｄｉ」「ｄｕ」「ｄｅ」「ｄｏ」、「ｂａ」「ｂｉ」「ｂｕ」「ｂｅ」「ｂｏ」と入力されることを特徴とするので、日本語ローマ字入力モードであればそれぞれ「が」「ぎ」「ぐ」「げ」「ご」、「ざ」「じ」「ず」「ぜ」「ぞ」、「だ」「ぢ」「づ」「で」「ど」、「ば」「び」「ぶ」「べ」「ぼ」という入力が得られる。【０００９】  請求項４記載の発明は、「小文字」キーを押下しながら「あ」「い」「う」「え」「お」「つ」「や」「ゆ」「よ」「わ」キーを押下するとそれぞれ「ｘａ」「ｘｉ」「ｘｕ」「ｘｅ」「ｘｏ」「ｘｔｕ」「ｘｙａ」「ｘｙｕ」「ｘｙｏ」「ｘｗａ」または「ｌａ」「ｌｉ」「ｌｕ」「ｌｅ」「ｌｏ」「ｌｔｕ」「ｌｙａ」「ｌｙｕ」「ｌｙｏ」「ｌｗａ」と入力されることを特徴とするとするので、日本語ローマ字入力モードであればそれぞれ「ぁ」「ぃ」「ぅ」「ぇ」「ぉ」「っ」「ゃ」「ゅ」「ょ」「ゎ」という入力が得られる。【００１０】  請求項５記載の発明は、「アルファベット」キーを押下しながら「Ａ」「Ｂ」「Ｃ」．．．「Ｘ」「Ｙ」「Ｚ」キーを押下するとそれぞれ「ａ」「ｂ」「ｃ」．．．「ｘ」「ｙ」「ｚ」と入力されることを特徴とするので直接入力モードであればそれぞれ「ａ」「ｂ」「ｃ」．．．「ｘ」「ｙ」「ｚ」という入力が得られる。
【発明を実施するための最良の形態】
【００１１】  以下、図を参照して本発明の実施の形態を詳細に説明する。
本発明のキーボードは、ひらがなが印字されている各キーを押下すると、そのひらがなをローマ字読みした文字が入力されることを特徴とするキーボードである。
図１は、本発明のキーボードにおけるキートップの印字とキーボードから入力される文字列を示す図である。【００１２】  「は」「ま」「や」「ら」「わ」と印字されたキーをそれぞれ単独で押すと「ｈａ」「ｍａ」「ｙａ」「ｒａ」「ｗａ」と入力されるので、日本語ローマ字入力モードであればそれぞれ「は」「ま」「や」「ら」「わ」という入力が得られる。【００１３】  「半濁点」キーを押しながら「は」キーを押すと「ｐａ」と入力されるので、日本語ローマ字入力モードであれば「ぱ」という入力が得られる。半濁点が存在しない各ひらがなキーからは入力が得られない。【００１４】  「濁点」キーを押しながら「は」キーを押すと「ｂａ」と入力されるので、日本語ローマ字入力モードであれば「ば」という入力が得られる。濁点が存在しない各ひらがなキーからは入力が得られない。【００１５】  「小文字」キーを押しながら「や」「わ」キーを押すとそれぞれ「ｘｙａ」「ｘｗａ」または「ｌｙａ」「ｌｗａ」と入力されるので、日本語ローマ字入力モードであればそれぞれ「ゃ」「ゎ」という入力が得られる。小文字が存在しない各ひらがなキーからは入力が得られない。【００１６】「アルファベット」キーを押しながら「Ａ」「Ｂ」「Ｃ」「Ｄ」「Ｅ」キーを押すとそれぞれ「ａ」「ｂ」「ｃ」「ｄ」「ｅ」と入力されるので、直接入力モードであればそれぞれ「ａ」「ｂ」「ｃ」「ｄ」「ｅ」という入力が得られる。
【実施例】
【００１７】  次に、本発明のひらがなが印字されている各キーを押下すると、そのひらがなをローマ字読みした文字が入力されることを特徴とするキーボードの実施例を具体的に説明する。【００１８】  本実施例では、市販されているプログラマブルキーボードを用いることで、ひらがなが印字されている各キーを押下すると、そのひらがなをローマ字読みした文字が入力されることを特徴とするキーボードを作成した。【００１９】  プログラマブルキーボードとは任意のキーに任意の文字を登録できるキーボードである。【００２０】  つまり、一般的な日本語キーボードのキー配列が「ＱＷＥＲＴＹ」となっているのに対し、プログラマブルキーボードは任意のキー配列をプログラムできるので「ＡＢＣＤＥＦ」や「あかさたな」などの自由なキー配列が可能である。【００２１】  また、一つのキーに複数の文字列を割り当てることも可能であるので「あ」「か」「さ」「た」「な」キーへそれぞれ「ａ」「ｋａ」「ｓａ」「ｔａ」「ｎａ」という文字列を割り当てるといったように、各ひらがなキーへそのひらがなをローマ字読みしたアルファベットを割り当てた。【００２２】  また、任意のキーでキーボードのキー配列全体を入れ替えることも可能であるので、「半濁点」キー、「濁点」キー、「小文字キー」、「アルファベット」キーをそれぞれキー配列全体を入れ替えるキーとした。【００２３】  「半濁点」キーを押下した場合、「は」「ひ」「ふ」「へ」「ほ」キーへそれぞれ「ｐａ」「ｐｉ」「ｐｕ」「ｐｅ」「ｐｏ」という文字列を割り当てた。【００２４】  「濁点」キーを押下した場合、「か」「き」「く」「け」「こ」、「さ」「し」「す」「せ」「そ」、「た」「ち」「つ」「て」「と」、「は」「ひ」「ふ」「へ」「ほ」キーへそれぞれ「ｇａ」「ｇｉ」「ｇｕ」「ｇｅ」「ｇｏ」、「ｚａ」「ｚｉ」「ｚｕ」「ｚｅ」「ｚｏ」、「ｄａ」「ｄｉ」「ｄｕ」「ｄｅ」「ｄｏ」、「ｂａ」「ｂｉ」「ｂｕ」「ｂｅ」「ｂｏ」という文字列を割り当てた。【００２５】  「小文字」キーを押下した場合、「あ」「い」「う」「え」「お」「つ」「や」「ゆ」「よ」「わ」キーへそれぞれ「ｘａ」「ｘｉ」「ｘｕ」「ｘｅ」「ｘｏ」「ｘｔｕ」「ｘｙａ」「ｘｙｕ」「ｘｙｏ」「ｘｗａ」または「ｌａ」「ｌｉ」「ｌｕ」「ｌｅ」「ｌｏ」「ｌｔｕ」「ｌｙａ」「ｌｙｕ」「ｌｙｏ」「ｌｗａ」という文字列を割り当てた。【００２６】  「アルファベット」キーを押下した場合、「Ａ」「Ｂ」「Ｃ」．．．「Ｘ」「Ｙ」「Ｚ」キーへそれぞれ「ａ」「ｂ」「ｃ」．．．「ｘ」「ｙ」「ｚ」という文字列を割り当てた。
【発明の効果】
【００２７】  ひらがなが印字されている各キーを押下すると、そのひらがなをローマ字読みした文字が入力されるので、利用者はローマ字を意識することなく日本語ローマ字入力モードでキートップに印字されている文字の入力が得られる。
【図面の簡単な説明】
【００２８】
【図１】本発明の「押下するキーと入力される文字の関係」を示した図である。
【符号の説明】
【００２９】１  「は」「ま」「や」「ら」「わ」キーをそれぞれ押下したとき入力される文字
２  「半濁点」キーを押下しながら「は」キーを押下したとき入力される文字
３  「濁点」キーを押下しながら「は」キーを押下したとき入力される文字
４  「小文字」キーを押下しながら「や」「わ」キーを押下したとき入力される文字
５  「アルファベット」キーを押下しながら「は」「ま」「や」「ら」「わ」キーを押下したとき入力される文字
【図１】
2009087308.tif 000003